(57)【特許請求の範囲】
【請求項１】
本部に設置された本部親局と、複数の署所のそれぞれに設置された複数の署所親局と、前記本部親局及び前記複数の署所のそれぞれに設置され、設置された本部親局又は署所の管轄区域におけるサイレンの吹鳴を制御する複数の子局と、を備えたサイレン吹鳴システムであって、
前記署所親局は、当該署所親局のユーザによる前記複数の署所のうち任意の署所の管轄区間における吹鳴対象サイレンを制御する前記子局及び吹鳴パターンの入力を受け付け、当該吹鳴対象サイレンを制御する前記子局及び当該吹鳴パターンの情報を含む要求情報を前記本部親局に送信し、
前記本部親局は、前記署所親局から受信した前記要求情報に基づく指示情報を生成して、前記要求情報で示される前記吹鳴対象サイレンの吹鳴を制御する前記子局に送信し、
前記子局は、前記本部親局から受信した前記指示情報に応じて、当該指示情報で示される前記吹鳴対象サイレンを当該指示情報で示された前記吹鳴パターンで吹鳴させる、
サイレン吹鳴システム。
【請求項２】
前記本部親局は、
前記複数の署所に設置された複数のサイレンのそれぞれについて、吹鳴中であるか否かを示すサイレン状態情報が格納される記憶部を有し、
前記記憶部に格納されたサイレン状態情報に基づいて、前記要求情報で示される前記吹鳴対象サイレンが吹鳴中であると判定した場合、当該吹鳴対象サイレンについての前記要求情報に基づく前記指示情報の生成を抑止する、
請求項１に記載のサイレン吹鳴システム。
【請求項３】
前記サイレン吹鳴システムは、さらに、
前記本部に設置される第１の遠隔制御器と、前記複数の署所のそれぞれに設置された複数の第２の遠隔制御器と、を備え、
前記署所のユーザは、前記第２の遠隔制御器を利用して通話によって、前記第１の遠隔制御器を利用する前記本部のユーザに対して、前記サイレンの起動を要求可能であり、
前記本部親局は、さらに、前記本部のユーザによる吹鳴対象サイレンを制御する前記子局及び吹鳴パターンの入力を受け付け、当該吹鳴対象サイレンを制御する前記子局及び当該吹鳴パターンの情報を含む指示情報を生成し、当該指示情報で示される前記吹鳴対象サイレンの吹鳴を制御する前記子局に送信する、
請求項１又は２に記載のサイレン吹鳴システム。
【請求項４】
前記複数の子局のそれぞれは、前記本部親局から有線によって前記指示情報を受信し、第１のサイレンの吹鳴を制御する有線子局であり、
前記サイレン吹鳴システムは、さらに、
前記複数の署所の少なくも１つのそれぞれに設置された少なくとも１つの無線基地局と、
前記複数の署所の管轄区域の少なくも１つのそれぞれに設置された少なくとも１つの移動局と、
前記複数の署所の管轄区域の少なくも１つのそれぞれに対応し、対応する署所の管轄区域における前記第１のサイレンとは異なる第２のサイレンの吹鳴を制御する少なくも１つの無線子局と、を備え、
前記本部親局は、前記署所親局から受信した前記要求情報で示される前記吹鳴対象サイレンが第２のサイレンである場合、当該要求情報に基づく指示情報を生成し、当該第２のサイレンの管轄区域に設置された前記無線基地局及び前記移動局を介して、当該第２のサイレンの吹鳴を制御する前記無線子局に送信し、
前記無線子局は、前記本部親局から受信した前記第２のサイレンについての前記指示情報に応じて、当該指示情報で示される前記第２のサイレンを当該指示情報で示された前記吹鳴パターンで吹鳴させる、
請求項１乃至３のいずれか１項に記載のサイレン吹鳴システム。
【請求項５】
前記本部は、消防本部であり、
前記署所は、消防署である、
請求項１乃至４のいずれか１項に記載のサイレン吹鳴システム。
【請求項６】
本部に設置された本部親局と、複数の署所のそれぞれに設置された複数の署所親局と、前記本部親局及び前記複数の署所のそれぞれに設置され、設置された本部親局又は署所の管轄区域におけるサイレンの吹鳴を制御する複数の子局との間におけるサイレン吹鳴方法であって、
前記署所親局が、当該署所親局のユーザによる前記複数の署所のうち任意の署所の管轄区間における吹鳴対象サイレンを制御する前記子局及び吹鳴パターンの入力を受け付け、当該吹鳴対象サイレンを制御する前記子局及び前記吹鳴パターンの情報を含む要求情報を前記本部親局に送信するステップと、
前記本部親局が、前記署所親局から受信した前記要求情報に基づく指示情報を生成して、前記要求情報で示される前記吹鳴対象サイレンの吹鳴を制御する前記子局に送信するステップと、
前記子局が、前記本部親局から受信した前記指示情報に応じて、当該指示情報で示される前記吹鳴対象サイレンを当該指示情報で示された前記吹鳴パターンで吹鳴させるステップと、を備えた、
サイレン吹鳴方法。
【発明の詳細な説明】
【技術分野】
【０００１】
本発明は、サイレン吹鳴システム及びサイレン吹鳴方法に関し、特に、他の署所の管轄区域におけるサイレンの吹鳴を制御する技術に関する。
【背景技術】
【０００２】
サイレン吹鳴システムは、サイレン吹鳴親局を操作することにより、無線/有線配線で消防団詰所及び分団屯所などに設置されている子局を遠隔起動し、サイレンを吹鳴させるシステムである（例えば、特許文献１及び特許文献２）。
【０００３】
消防救急無線は音声主体の運用が行われてきたが、２００８年５月の電波法２６条に基づく「周波数割当計画」の改正によって、アナログ周波数の使用期限が２０１６年５月までとなり、消防救急無線においてもデジタル化の推進が義務付けられた。
【０００４】
消防救急無線のデジタル化推進によって導入された「消防救急無線デジタル無線通信システム（ＳＣＰＣ）方式)」（以降、消防ＳＣＰＣデジタル無線）では、国内の消防システムで隣接した自治体が互いに無線で連絡を取り合い、消防・救急活動を迅速に支援しあうことが実現できるようになった。
【０００５】
しかし、特許文献１及び特許文献２に記載のサイレン吹鳴システムの構成では、サイレン吹鳴親局が設置されている管轄区域の子局のみが遠隔制御対象となり、消防ＳＣＰＣデジタル無線のメリットを活かせていないという問題がある。従って、例えば、管轄区域の境界線付近で火災が発生した場合、隣の管轄区域にあるサイレンを吹鳴した方が効果的であっても、火災が発生した管轄からはそのサイレンは遠隔操作できないので、迅速な対応ができないといったことが発生し得る。
【先行技術文献】
【特許文献】
【０００６】
【特許文献１】特許第２９１２８０号公報
【特許文献２】特開平１１−１９５１８５号公報
【発明の概要】
【発明が解決しようとする課題】
【０００７】
上述したように、特許文献１及び特許文献２に記載のサイレン吹鳴システムでは、親局は、管轄対象とする管轄区域内のみを制御下とするため、サイレンを吹鳴できる範囲が限られてしまっているという問題がある。
【０００８】
本発明の目的は、上述したような課題を解決するために、他の管轄区域のサイレンを吹鳴することができるサイレン吹鳴システム及びサイレン吹鳴方法を提供することである。
【課題を解決するための手段】
【０００９】
本発明の第１の態様に係るサイレン吹鳴システムは、本部に設置された本部親局と、複数の署所のそれぞれに設置された複数の署所親局と、前記本部親局及び前記複数の署所のそれぞれに設置され、設置された本部親局又は署所の管轄区域におけるサイレンの吹鳴を制御する複数の子局と、を備えたサイレン吹鳴システムであって、前記署所親局は、当該署所親局のユーザからの前記複数の署所のうち任意の署所の管轄区間におけるサイレンの起動を要求する操作に応じて、当該サイレンの起動を要求する要求情報を前記本部親局に送信し、前記本部親局は、前記署所親局から受信した要求情報に応じて、当該要求情報で起動が要求されたサイレンの起動を指示する指示情報を、当該サイレンの吹鳴を制御する子局に送信し、前記子局は、前記本部親局から受信した指示情報に応じて、当該指示情報で起動が指示されたサイレンを吹鳴させるものである。
【００１０】
本発明の第２の態様に係るサイレン吹鳴方法は、本部に設置された本部親局と、複数の署所のそれぞれに設置された複数の署所親局と、前記本部親局及び前記複数の署所のそれぞれに設置され、設置された本部親局又は署所の管轄区域におけるサイレンの吹鳴を制御する複数の子局との間におけるサイレン吹鳴方法であって、署所親局が、当該署所親局のユーザからの前記複数の署所のうち任意の署所の管轄区間におけるサイレンの起動を要求する操作に応じて、当該サイレンの起動を要求する要求情報を前記本部親局に送信するステップと、本部親局が、前記署所親局から受信した要求情報に応じて、当該要求情報で起動が要求されたサイレンの起動を指示する指示情報を、当該サイレンの吹鳴を制御する子局に送信するステップと、子局が、前記本部親局から受信した指示情報に応じて、当該指示情報で起動が指示されたサイレンを吹鳴させるステップと、を備えたものである。
【発明の効果】
【００１１】
上述した本発明の各態様によれば、他の管轄区域のサイレンを吹鳴することができるサイレン吹鳴システム及びサイレン吹鳴方法を提供することができる。
【図面の簡単な説明】
【００１２】
【図１】発明の実施の形態に係るサイレン吹鳴システムの構成図である。
【図２】発明の実施の形態に係る本部親局及び署所親局のソフトウェア構成図である。
【図３】発明の実施の形態に係る本部親局及び署所親局に表示される画面の一例である。
【図４】発明の実施の形態に係るサイレン吹鳴システムの処理を示すフローチャートである。
【図５】発明の実施の形態に係るサイレン吹鳴システムの処理を示すフローチャートである。
【図６】発明の実施の形態に係るサイレン吹鳴システムの処理を示すフローチャートである。
【図７】発明の実施の形態に係るサイレン吹鳴システムの処理を示すフローチャートである。
【図８】発明の実施の形態に係るサイレン吹鳴システムの概略構成を示す図である。
【発明を実施するための形態】
【００１３】
以下に図面を参照しながら、本発明の好適な実施形態について説明する。以下の実施形態に示す具体的な数値等は、発明の理解を容易とするための例示にすぎず、特に断る場合を除き、それに限定されるものではない。また、以下の記載及び図面では、説明の明確化のため、当業者にとって自明な事項等については、適宜、省略及び簡略化がなされている。
【００１４】
まず、図１を参照して、本発明の実施の形態に係るサイレン吹鳴システム１の構成について説明する。図１に示すように、サイレン吹鳴システム１は、本部１０と、署所２０、３０とを有する。また、サイレン吹鳴システム１は、子局１０１〜１０４を有する。
【００１５】
本部１０は、例えば、消防本部である。本部１０は、子局１０１を有する。子局１０１は、本部１０の管轄区域におけるサイレンを吹鳴するシステムである。署所２０は、子局１０２を有する。子局１０２は、署所２０の管轄区域におけるサイレンを吹鳴するシステムである。署所３０は、子局１０２を有する。子局１０２は、署所３０の管轄区域におけるサイレンを吹鳴するシステムである。署所２０、３０は、例えば、消防署である。
【００１６】
ここで、子局１０４は、署所２０の管轄区域におけるサイレンを吹鳴するシステムである。子局１０４は、例えば、消防団詰所及び分団屯所などに設置される。
【００１７】
また、署所２０、３０の数も、図１に示す例に限られない。また、本部１０及び署所２０、３０のそれぞれが有する子局の数も、図１に示す例に限られない。署所２０の外で、署所２０の管轄区域に設置される子局の数も、図１に示す例に限られない。署所３０の管轄区域においても、子局１０４と同様の子局が設置されてもよい。
【００１８】
本部１０は、サイレン吹鳴親局１１と、有線子局１２と、サイレン１３と、遠隔制御器１４と、無線回線制御装置１５と、自動出動指定装置１６とを有する。なお、子局１０１は、有線子局１２及びサイレン１３を有する。
【００１９】
サイレン吹鳴親局１１（以下、「本部親局」とも呼ぶ）は、全ての子局１０１〜１０４におけるサイレンの起動又は停止を統括的に制御する装置である。言い換えると、本部親局１１は、全ての区域におけるサイレンを統括的に制御する。
【００２０】
より具体的には、本部親局１１は、ユーザからのサイレン１３の起動又は停止を指示する操作、又は、サイレン吹鳴親局２１、３１（以下、「署所親局」とも呼ぶ）からのサイレン１３の起動又は停止の要求に応じて、サイレン１３の起動又は停止を有線子局１２に指示する。本部親局１１は、ユーザからのサイレン２３の起動又は停止を指示する操作、又は、署所親局２１、３１からのサイレン２３の起動又は停止の要求に応じて、サイレン２３の起動又は停止を有線子局２２に指示する。本部親局１１は、ユーザからのサイレン３３の起動又は停止を指示する操作、又は、署所親局２１、３１からのサイレン３３の起動又は停止の要求に応じて、サイレン３３の起動又は停止を有線子局３２に指示する。本部親局１１は、ユーザからのサイレン４３の起動又は停止を指示する操作、又は、署所親局２１、３１からのサイレン４３の起動又は停止の要求に応じて、サイレン４３の吹鳴を無線子局４２に指示する。すなわち、本部親局１１は、ユーザからの操作を受け付けるための入力装置（例えば、マウス、キーボード及びタッチパネルの少なくとも１つ）を有する。本部親局１１は、例えば、ＰＣ（Personal Computer）である。
【００２１】
すなわち、本部親局１１は、有線子局１２、２２、３２と有線を介して、相互に通信可能に接続されている。本部親局１１は、無線子局４２と有線及び無線を介して、相互に通信可能に接続されている。有線は、例えば、ＬＡＮ（Local Area Network）である。
【００２２】
有線子局１２は、本部親局１１からの指示に応じて、サイレン１３の吹鳴を制御する装置である。より具体的には、有線子局１２は、本部親局１１からのサイレン１３の起動の指示に応じて、サイレン１３を吹鳴させる。また、有線子局１２は、本部親局１１からのサイレン１３の停止の指示に応じて、サイレン１３の吹鳴を停止させる。
【００２３】
遠隔制御器１４は、署所２０、３０の遠隔制御器２４、３４のそれぞれとの間での通話を可能とする装置である。本部１０のユーザは、遠隔制御器１４を利用することで、署所２０、３０において遠隔制御器２４、３４を利用するユーザのそれぞれと通話をすることができる。
【００２４】
すなわち、本部１０のユーザが遠隔制御器１４を利用し、署所２０、３０のユーザが遠隔制御器２４、３４を利用することで、本部１０のユーザ及び署所２０、３０のユーザは、相互に通話をすることができる。これによれば、署所２０、３０のユーザが、通話によって本部１０のユーザに任意のサイレンの起動又は停止を依頼し、本部１０のユーザが代理で本部親局１１によってそのサイレンの起動又は停止を行うこともできる。
【００２５】
無線回線制御装置１５は、本部親局１１、遠隔制御器１４、２４、３４、及び、無線基地局２５、３５を相互に接続する装置である。無線回線制御装置１５は、本部親局１１及び遠隔制御器１４と、署所親局２１、３１、遠隔制御器２４、３４及び無線基地局２５、３５とを、例えばＬＡＮを介して接続する。そして、無線回線制御装置１５は、本部親局１１、遠隔制御器１４、２４、３４、及び無線基地局２５、３５の間の通信を制御する。
【００２６】
より具体的には、無線回線制御装置１５は、遠隔制御器１４、２４、３４の間で通話に係る音声情報を転送する。また、無線回線制御装置１５は、本部親局１１から無線基地局２５、３５のそれぞれに対して、サイレンの起動又は停止を指示する情報を転送する。
【００２７】
自動出動指定装置１６は、１１９番通報に応じて、災害地点特定や出動隊編成を行う装置である。例えば、自動出動指定装置１６は、自動出動指定装置１６が有する表示装置（図示せず）に、１１９番通報に応じて特定した災害地点を表示する。本部１０のユーザは、自動出動指定装置１６に表示された災害地点の区域におけるサイレンを吹鳴するように、本部親局１１を操作することができる。
【００２８】
署所２０は、署所親局２１と、有線子局２２と、サイレン２３と、遠隔制御器２４と、無線基地局２５とを有する。なお、子局１０２は、有線子局２２及びサイレン２３を有する。
【００２９】
署所親局２１は、子局１０１〜１０４におけるサイレンの起動又は停止を本部親局１１に要求することで、全ての子局１０１〜１０４におけるサイレンの起動又は停止を制御する装置である。
【００３０】
より具体的には、署所親局２１は、ユーザからのサイレン１３の起動又は停止を指示する操作に応じて、サイレン１３の起動又は停止を本部親局１１に要求する。署所親局２１は、ユーザからのサイレン２３の起動又は停止を指示する操作に応じて、サイレン２３の起動又は停止を本部親局１１に要求する。署所親局２１は、ユーザからのサイレン３３の起動又は停止を指示する操作に応じて、サイレン３３の起動又は停止を本部親局１１に要求する。署所親局２１は、ユーザからのサイレン４３の起動又は停止を指示する操作に応じて、サイレン４３の起動又は停止を本部親局１１に要求する。すなわち、署所親局２１は、ユーザからの操作を受け付けるための入力装置（例えば、マウス、キーボード及びタッチパネルの少なくとも１つ）を有する。署所親局２１は、例えば、ＰＣ（Personal Computer）である。
【００３１】
有線子局２２は、本部親局１１からの指示に応じて、サイレン２３の吹鳴を制御する装置である。より具体的には、有線子局２２は、本部親局１１からのサイレン２３の起動の指示に応じて、サイレン２３を吹鳴させる。また、有線子局２２は、本部親局１１からのサイレン２３の停止の指示に応じて、サイレン２３の吹鳴を停止させる。
【００３２】
遠隔制御器２４は、本部１０及び署所３０の遠隔制御器１４、３４のそれぞれとの間での通話を可能とする装置である。署所２０のユーザは、遠隔制御器２４を利用することで、本部１０及び署所３０において遠隔制御器１４、３４を利用するユーザのそれぞれと通話をすることができる。
【００３３】
無線基地局２５は、無線によって移動局４１と通信する装置である。無線基地局２５は、無線回線制御装置１５と、移動局４１との間の通信を制御する。より具体的には、無線基地局２５は、本部親局１１から無線回線制御装置１５を介して受信した情報を、移動局４１に転送する。
【００３４】
署所３０は、署所親局３１と、有線子局３２と、サイレン３３と、遠隔制御器３４と、無線基地局３５とを有する。なお、子局１０３は、有線子局３２及びサイレン３３を有する。
【００３５】
署所親局３１、有線子局３２、サイレン３３、遠隔制御器３４、及び、無線基地局３５のそれぞれの動作は、署所親局２１、有線子局２２、サイレン２３、遠隔制御器２４、及び、無線基地局２５の動作と同様であるため、それらの説明は省略する。
【００３６】
子局１０４は、移動局４１と、無線子局４２と、サイレン４３とを有する。
【００３７】
移動局４１は、無線によって無線基地局２５と通信する装置である。移動局４１は、無線基地局２５と、無線子局４２との間の通信を制御する。より具体的には、移動局４１は、本部親局１１から無線回線制御装置１５及び無線基地局２５を介して受信した情報を、無線子局４２に転送する。
【００３８】
無線子局４２は、本部親局１１からの制御に応じて、サイレン４３の吹鳴を制御する装置である。無線子局４２は、移動局４１と有線で接続される。無線子局４２は、移動局４１からの有線を介した受信した情報に応じて、サイレン４３を吹鳴させる。
【００３９】
続いて、図２を参照して、本発明の実施の形態に係る本部親局１１及び署所親局２１のソフトウェア構成について説明する。なお、署所親局３１のソフトウェア構成は、署所親局２１のソフトウェア構成と同様であるため、ここでは、署所親局３１の図示は省略し、署所親局２１のソフトウェア構成のみを代表的に説明する。
【００４０】
本部親局１１は、親局アプリケーションプログラム（以下、「親局ＡＰ」とも呼ぶ）１１１と、アプリケーションプログラム制御ソフトウェア（以下、「ＡＰ制御ソフト」とも呼ぶ）１１２と、制御ソフトウェア（以下、「制御ソフトウェア」とも呼ぶ）１１３とを有する。
【００４１】
親局ＡＰ１１１は、ユーザにサイレンを起動又は停止をする子局を選択させるための処理を、本部親局１１に実行させるプログラムである。より具体的には、親局ＡＰ１１１は、ユーザがサイレンを起動又は停止をする子局を選択するための画面を、本部親局１１が有する表示装置（図示せず）に表示する。親局ＡＰ１１１は、その画面においてユーザが選択した子局におけるサイレンの起動又は停止を指示する指示情報の生成を、ＡＰ制御ソフト１１２に要求する。
【００４２】
また、親局ＡＰ１１１は、署所親局２１、３１からの子局におけるサイレンの起動又は停止を要求する要求情報に応じて、そのサイレンの起動又は停止を指示する指示情報の生成を、ＡＰ制御ソフト１１２に要求する。
【００４３】
ＡＰ制御ソフト１１２は、親局ＡＰ１１１からの要求に応じて、サイレンの起動又は停止を指示する指示情報を生成して送信する処理を、本部親局１１に実行させるプログラムである。より具体的には、ＡＰ制御ソフト１１２は、子局１０１のサイレン１３の起動又は停止を指示する指示情報の生成要求に応じて、サイレン１３の起動又は停止を指示する指示情報を生成し、有線子局１２に送信する。また、ＡＰ制御ソフト１１２は、子局１０２のサイレン２３の起動又は停止を指示する指示情報の生成要求に応じて、サイレン２３の起動又は停止を指示する指示情報を生成し、有線子局２２に送信する。また、ＡＰ制御ソフト１１２は、子局１０３のサイレン３３の起動又は停止を指示する指示情報の生成要求に応じて、サイレン３３の起動又は停止を指示する指示情報を生成し、有線子局３２に送信する。また、ＡＰ制御ソフト１１２は、親局ＡＰ１１１からの子局１０４のサイレン４３の起動又は停止を指示する指示情報の生成要求に応じて、サイレン４３の起動又は停止を指示する指示情報を生成し、無線子局４２に送信する。
【００４４】
制御ソフト１１３は、サイレン状態情報１１４に基づいて、同一のサイレンに対する重複した制御を防止する処理を、本部親局１１に実行させるプログラムである。サイレン状態情報１１４は、本部親局１１が有する記憶装置（図示せず）に格納される。記憶装置は、例えば、メモリ及びハードディスク等である。サイレン状態情報１１４は、子局１０１〜１０４のサイレン１３、２３、３３、４３のそれぞれについて、吹鳴中か否かを示す情報である。
【００４５】
制御ソフト１１３は、サイレン状態情報１１４に基づいて、ＡＰ制御ソフト１１２がサイレンの起動を指示すると判断したサイレンが吹鳴中であるか否かを判定する。制御ソフト１１３は、ＡＰ制御ソフト１１２がサイレンの起動を指示すると判断したサイレンが吹鳴中である場合、ＡＰ制御ソフト１１２によるそのサイレンの起動を指示する指示情報の生成を抑止する。一方、制御ソフト１１３は、ＡＰ制御ソフト１１２がサイレンの起動を指示すると判断したサイレンが吹鳴中でない場合、ＡＰ制御ソフト１１２によるそのサイレンの起動を指示する指示情報の生成を許容する。また、この場合には、制御ソフト１１３は、そのサイレンが吹鳴中であることを示すようにサイレン状態情報１１４を更新する。
【００４６】
また、制御ソフト１１３は、サイレン状態情報１１４に基づいて、ＡＰ制御ソフト１１２がサイレンの停止を指示すると判断したサイレンが吹鳴中であるか否かを判定する。制御ソフト１１３は、ＡＰ制御ソフト１１２がサイレンの停止を指示すると判断したサイレンが吹鳴中でない場合、ＡＰ制御ソフト１１２によるそのサイレンの停止を指示する指示情報の生成を抑止する。一方、制御ソフト１１３は、ＡＰ制御ソフト１１２がサイレンの停止止を指示すると判断したサイレンが吹鳴中である場合、ＡＰ制御ソフト１１２によるそのサイレンの停止を指示する指示情報の生成を許容する。また、この場合には、制御ソフト１１３は、そのサイレンが吹鳴中でないことを示すようにサイレン状態情報１１４を更新する。
【００４７】
親局ＡＰ２１１は、ユーザにサイレンを起動又は停止をする子局を選択させるための処理を、署所親局２１に実行させるプログラムである。より具体的には、親局ＡＰ２１１は、ユーザがサイレンを起動又は停止をする子局を選択するための画面を、署所親局２１が有する表示装置（図示せず）に表示する。親局ＡＰ１１１は、その画面においてユーザが選択した子局におけるサイレンの起動又は停止を要求する要求情報の生成を、ＡＰ制御ソフト１１２に要求する。
【００４８】
ＡＰ制御ソフト２１２は、親局ＡＰ２１１からの要求に応じて、サイレンの吹鳴を要求する要求情報を生成して送信する処理を、署所親局２１に実行させるプログラムである。より具体的には、ＡＰ制御ソフト２１２は、親局ＡＰ２１１からの子局１０１〜１０４のいずれかのサイレン１３の起動又は停止を要求する要求情報の生成要求に応じて、サイレン１１の起動又は停止を要求する要求情報を生成し、本部親局１１に送信する。
【００４９】
続いて、図３を参照して、本発明の実施の形態に係る親局ＡＰ１１１、２１１によって表示される画面の一例について説明する。図３に示すように、親局ＡＰ１１１、２１１によって表示される画面は、区域ボタン群３１０と、子局ボタン群３２０と、サイレン種別ボタン群３３０と、起動ボタン３４０と、停止ボタン３５０とを有する。
【００５０】
区域ボタン群３１０は、サイレンの起動又は停止をする区域を選択するためのボタン群である。区域ボタン群３１０は、複数の区域ボタンを有する。複数の区域ボタンは、複数の管轄区域のそれぞれに対応する。例えば、図３の区域ボタン「Ａ区域」は本部１０の管轄区域に対応し、図３の区域ボタン「Ｂ区域」は署所２０の管轄区域に対応し、図３の区域ボタン「Ｃ区域」は署所３０の管轄区域に対応する。ユーザは、任意の区域ボタンを選択することで、その区域ボタンに対応する区域を、サイレンの起動又は停止をする区域として選択することができる。
【００５１】
子局ボタン群３２０は、起動又は停止をする子局（すなわち、サイレン）を選択するためのボタン群である。子局ボタン群３２０は、複数の子局ボタンを有する。複数の子局ボタンは、区域ボタン群３１０において選択された管轄区域に含まれる子局のそれぞれに対応する。例えば、区域ボタン群３１０において本部１０の管轄区域が選択されている場合、図３の子局ボタン「子局１」は、子局１０１に対応する。例えば、区域ボタン群３１０において署所２０の管轄区域が選択されている場合、図３の子局ボタン「子局１」は、子局１０１に対応し、図３の子局ボタン「子局２」は、子局１０４に対応する。例えば、区域ボタン群３１０において署所３０の管轄区域が選択されている場合、図３の子局ボタン「子局１」は、子局１０３に対応する。ユーザは、任意の子局ボタンを選択することで、その子局ボタンに対応する子局のサイレンを、起動又は停止をするサイレンとして選択することができる。
【００５２】
サイレン種別ボタン群３３０は、サイレンの吹鳴パターンを選択するためのボタン群である。サイレン種別ボタン群３３０は、複数のサイレン種別ボタンを有する。複数のサイレン種別ボタンは、例えば、複数の吹鳴パターンのそれぞれに対応する。ユーザは、任意のサイレン種別ボタンを選択することで、そのサイレン種別ボタンに対応する吹鳴パターンを、サイレンの吹鳴パターンとして選択することができる。
【００５３】
起動ボタン３４０は、サイレンを起動するためのボタンである。ユーザが、区域ボタン、子局ボタン及びサイレン種別ボタンを選択後、起動ボタン３４０を選択することで、区域ボタン群３１０及び子局ボタン群３２０によって選択されたサイレンを、サイレン種別ボタン群３３０で選択された吹鳴パターンで起動する要求情報又は指示情報が生成・送信される。
【００５４】
すなわち、署所親局２１、３１が送信する要求情報は、選択されたサイレンと、選択された吹鳴パターンを示す情報が含まれる。よって、本部親局１１は、要求情報が示すサイレンを、起動するサイレンとして認識する。また、本部親局１１が送信する指示情報は、選択された吹鳴パターンを示す情報が含まれる。よって、本部親局１１は、署所親局２１、３１からの要求情報に応じて、サイレンの起動を指示する場合、その要求情報が示す吹鳴パターンを示すように指示情報を生成する。
【００５５】
停止ボタン３５０は、サイレンを停止するためのボタンである。ユーザが、区域ボタン及び子局ボタンを選択後、停止ボタン３５０を選択することで、区域ボタン群３１０及び子局ボタン群３２０によって選択されたサイレンを停止する要求情報又は指示情報が生成・送信される。
【００５６】
すなわち、署所親局２１、３１が送信する要求情報は、選択されたサイレンを示す情報が含まれる。よって、本部親局１１は、要求情報が示すサイレンを、停止するサイレンとして認識する。
【００５７】
続いて、図４〜図７を参照して、本発明の実施の形態に係るサイレン吹鳴システム１の動作について説明する。なお、図４及び図５は、無線を使用してサイレンの鳴動を行う場合の動作となる。図６及び図７は、有線を使用してサイレンの鳴動を行う場合の動作となる。
【００５８】
まず、図４を参照して、本部１０から署所２０の管轄区域の子局１０４のサイレン４３を吹鳴する場合の動作について説明する。
【００５９】
本部親局１１は、ユーザからの子局１０４のサイレン４３を起動する操作に応じて、サイレン４３の起動を指示する指示情報を生成し、無線回線制御装置１５に送信する（Ｓ１）。無線回線制御装置１５は、本部親局１１から送信された指示情報を、無線基地局２５に送信する（Ｓ２）。無線基地局２５は、無線回線制御装置１５から送信された指示情報を、無線子局４２に送信する（Ｓ３）。これにより、無線子局４２は、指示情報が示す吹鳴パターンでサイレン４３を吹鳴させる。無線子局４２は、サイレン４３の起動完了を通知する通知情報を、無線基地局２５に送信する（Ｓ４）。無線基地局２５は、無線子局４２から送信された通知情報を、無線回線制御装置１５に送信する（Ｓ５）。無線回線制御装置１５は、無線基地局２５から送信された通知情報を、本部親局１１に送信する（Ｓ６）。
【００６０】
続いて、図５を参照して、署所３０から署所２０の管轄区域の子局１０４のサイレン４３を吹鳴する場合の動作について説明する。
【００６１】
署所親局３１は、ユーザからの子局１０４のサイレン４３を起動する操作に応じて、サイレン４３の起動を要求する要求情報を生成し、本部親局１１に送信する（Ｓ１１）。本部親局１１は、署所親局３１からのサイレン４３の起動を要求する要求情報に応じて、サイレン４３の起動を指示する指示情報を生成し、無線回線制御装置１５に送信する（Ｓ１２）。ここで、ステップＳ１３〜Ｓ１７の動作については、ステップＳ２〜Ｓ６の動作と同様であるため、それらの説明を省略する。そして、本部親局１１は、無線回線制御装置１５から送信された通知情報を、署所親局３１に送信する（Ｓ１８）。
【００６２】
続いて、図６を参照して、本部１０から署所２０の管轄区域の子局１０２のサイレン２３を吹鳴する場合の動作について説明する。
【００６３】
本部親局１１は、ユーザからの子局１０２のサイレン２３を起動する操作に応じて、サイレン２３の起動を指示する指示情報を生成し、有線子局２２に送信する（Ｓ２１）。これにより、有線子局２２は、指示情報が示す吹鳴パターンでサイレン２３を吹鳴させる。また、有線子局２２は、サイレンの起動完了を通知する通知情報を、本部親局１１に送信する（Ｓ２２）。
【００６４】
続いて、図７を参照して、署所３０から署所２０の管轄区域の子局１０２のサイレン２３を吹鳴する場合の動作について説明する。
【００６５】
署所親局３１は、ユーザからの子局１０２のサイレン２３を起動する操作に応じて、サイレン４３の起動を要求する要求情報を生成し、本部親局１１に送信する（Ｓ３１）。本部親局１１は、署所親局３１からのサイレン２３の起動を要求する要求情報に応じて、サイレン４３の起動を指示する指示情報を生成し、有線子局２２に送信する（Ｓ３２）。これにより、有線子局２２は、指示情報が示す吹鳴パターンでサイレン２３を吹鳴させる。また、有線子局２２は、サイレンの起動完了を通知する通知情報を、本部親局１１に送信する（Ｓ３３）。本部親局１１は、有線子局２２から送信された通知情報を、署所親局３１に送信する（Ｓ３４）。
【００６６】
続いて、図８において、本発明の実施の形態に係るサイレン吹鳴システム１の概略構成として示すサイレン吹鳴システム２を参照しつつ、本発明の効果について説明する。図８に示すように、サイレン吹鳴システム２は、本部１１０に設置された本部親局７１と、複数の署所１２０、１３０のそれぞれに設置された複数の署所親局８１、９１と、本部親局７１及び複数の署所１２０、１３０のそれぞれに設置され、設置された本部親局７１又は署所１２０、１３０の管轄区域におけるサイレン７３、８３、９３の吹鳴を制御する複数の子局７２、８２、９２と、を備える。署所親局８１、９１は、その署所親局８１、９１のユーザからの複数の署所１１０、１２０、１３０のうち任意の署所の管轄区間におけるサイレンの起動を要求する操作に応じて、そのサイレンの起動を要求する要求情報を本部親局７１に送信する。本部親局７１は、署所親局８１、９１から受信した要求情報に応じて、その要求情報で起動が要求されたサイレンの起動を指示する指示情報を、そのサイレンの吹鳴を制御する子局７２、８２、９２に送信する。子局７２、８２、９２は、本部親局７１から受信した指示情報に応じて、その指示情報で起動が指示されたサイレンを吹鳴させる。
【００６７】
このように、本実施の形態は、広域化対応として、複数の署所１２０、１３０の署所親局８１、９１で実行していたサイレン吹鳴業務を、本部１１０の本部親局７１で集約制御する機能を搭載する。すなわち、本部１１０より、ある署所から他の署所の管轄区域のサイレンの吹鳴を代行して制御可能とている。すなわち、管轄区域の署所親局８１、９１からでも、全区域に対してサイレンの吹鳴を可能としている。よって、本実施の形態によれば、他の管轄区域のサイレンを吹鳴することができる。
【００６８】
また、特許文献１及び特許文献２に開示に技術では、管轄区域ごとに大規模な署所親局が必要であったが、本実施の形態では、その機能を本部親局７１に集約している。すなわち、署所親局８１、９１では、サイレンの吹鳴を本部親局７１に要求する処理のみ実装すればよく、本部親局７１のみでサイレンの吹鳴指示や指示の重複防止を実現する処理を実装すればよい。そのため、実装コストを削減できる。
【００６９】
また、本実施の形態では、署所２０、３０のユーザは、遠隔制御器２４、３４を利用して通話によって、遠隔制御器１４を利用する本部１０のユーザに対して、サイレンの起動を要求可能である。そして、本部親局１１は、本部１０のユーザからのサイレンの起動を要求する操作に応じて、そのサイレンの起動を指示する指示情報を生成し、サイレンの吹鳴を制御する子局に送信することができる。
【００７０】
これによれば、署所２０、３０の署所親局２１、３１に故障が発生した場合であっても、本部１０の本部親局１１が制御を代行することによって、故障した署所親局２１、３１の管轄区域の子局１０２、１０３を起動させてサイレンの吹鳴を実行可能である。
【００７１】
また、本実施の形態によれば、サイレンの吹鳴の制御を本部親局７１に集約しただけなので、画面操作の手順は既知の方法を踏襲できる。よって、ユーザの使い勝手が変わらないというメリットもある。また、サイレンの吹鳴の制御を本部親局７１に集約したことで、使用していた本部親局７１を大幅に変えることなく、ソフトウェアの改造でシステムの拡張化を行うことができる。
【００７２】
なお、上述の本部親局１１及び署所親局２１、３１のそれぞれは、本部親局１１及び署所親局２１、３１（コンピュータ）のそれぞれが有するＣＰＵ（Central Processing Unit）によって、上述したそのコンピュータの機能を実現するプログラムを実行することで、上述の処理を実現してもよいことは言うまでもない。
【００７３】
また、上述の本部親局１１及び署所親局２１、３１上で実行されるプログラムは、様々なタイプの非一時的なコンピュータ可読媒体（non-transitory computer readable medium）を用いて格納され、コンピュータ（本部親局１１及び署所親局２１、３１）に供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７４】
なお、本発明は上記実施の形態に限られたものではなく、趣旨を逸脱しない範囲で適宜変更することが可能である。
【符号の説明】
【００７５】
１、２  サイレン吹鳴システム
１０、１１０  本部
１１、７１  サイレン吹鳴親局（本部親局）
１２、２２、３２  有線子局
１３、２３、３３、４３、７３、８３、９３  サイレン
１４、２４、３４  遠隔制御器
１５  無線回線制御装置
１６  自動出動指定装置
２０、３０、１２０、１３０  署所
２１、３１、８１、９１  サイレン吹鳴親局（署所親局）
２５、３５  無線基地局
４１  移動局
４２  無線子局
７２、８２、９２、１０１、１０２、１０３、１０４、２０１、２０２、２０３  子局
１１１、２１１  親局アプリケーションプログラム（親局ＡＰ）
１１２、２１２  アプリケーションプログラム制御ソフトウェア（ＡＰ制御ソフト）
１１３  制御ソフト
１１４  サイレン状態情報
【図１】
0006640495.tif 000002
【図２】
0006640495.tif 000003
【図３】
0006640495.tif 000004
【図４】
0006640495.tif 000005
【図５】
0006640495.tif 000006
【図６】
0006640495.tif 000007
【図７】
0006640495.tif 000008
【図８】
0006640495.tif 000009